【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
映像コンテンツ、及び、前記映像コンテンツの一部の区間に関連付けられた付属コンテンツを含むデータを外部から受信する受信手段と、
前記映像コンテンツ及び前記付属コンテンツを記録部に記録する記録手段と、
前記受信手段が受信した前記付属コンテンツを特定するための情報と、前記付属コンテンツが関連付けられている前記映像コンテンツの一部の区間を特定するための時間情報と、を関連付けた管理情報を記憶部に記憶させる管理手段と、
前記管理手段により管理された前記管理情報を用いて、前記付属コンテンツを特定するための情報、及び、前記付属コンテンツが関連付けられた前記映像コンテンツの一部の区間の映像を示す情報を、表示部に表示すると共に、前記付属コンテンツを選択可能な表示画面を生成する生成手段と、
を有することを特徴とする受信装置。
【請求項２】
前記付属コンテンツは、前記映像コンテンツに対応づけられたデータ放送データであって、
前記受信手段は、前記映像コンテンツ及び前記データ放送データを放送信号から受信し、
前記データ放送データは１つ以上のモジュールで構成されており、
前記モジュール毎に付与された固有情報の変化を検出する検出手段と、
前記映像データ及び前記データ放送データを記録中に、前記検出手段で前記固有情報の変化を検出した場合、変化後のモジュールに対応する印刷コンテンツが存在するか否かを当該モジュールに含まれるファイルデータを用いて判定する判定手段と、を更に有し、
前記判定手段により、当該モジュールに対応する印刷コンテンツが存在すると判定された場合、前記管理手段は、前記印刷コンテンツを特定するための情報と、前記印刷コンテンツを含むモジュールを特定するための情報と、前記モジュールが放送されていた時間帯に放送されていた前記映像コンテンツの一部の区間を特定するための時間情報とを関連付けた管理情報を記憶部に記憶させる
ことを特徴とする請求項１に記載の受信装置。
【請求項３】
前記付属コンテンツは、前記映像コンテンツに対応づけられたデータ放送データであって、
前記受信手段は、前記映像コンテンツ及び前記データ放送データを放送信号から受信し、
記録中のデータ放送データに対応し、前記データ放送データを用いたデータ放送画面の表示指示を実行するイベントメッセージによって、所定のデータ放送画面の表示指示が実行されたことを検出する検出手段と、
前記検出手段で表示指示を検出した後、表示を指示されたデータ放送画面を生成するためのファイルデータを用いて、前記データ放送データに対応する印刷コンテンツが存在するか否かを判定する判定手段と、を更に有し、
前記判定手段により、当該データ放送データに対応する印刷コンテンツが存在すると判定された場合、前記管理手段は、前記印刷コンテンツを特定するための情報と、前記印刷コンテンツを含むデータ放送データを特定するための情報と、前記イベントメッセージの表示指示が実行された時点からの前記映像コンテンツの一部の区間を特定するための時間情報とを関連付けた管理情報を記憶部に記憶させる
ことを特徴とする請求項１に記載の受信装置。
【請求項４】
前記生成手段は、前記表示画面において印刷コンテンツをユーザが選択したことに応じて、前記印刷コンテンツの印刷を実行するか、または、前記印刷コンテンツが関連付けられた前記映像コンテンツの一部の区間の映像の再生を実行するかを選択する選択画面を生成する
ことを特徴とする請求項２または３に記載の受信装置。
【請求項５】
前記生成手段が生成する表示画面は、前記映像コンテンツの一部の区間の映像を示す情報をユーザが指定することにより、当該映像コンテンツの一部の区間の映像の再生の指示入力を受け付けることが可能である
ことを特徴とする請求項２または３に記載の受信装置。
【請求項６】
映像コンテンツ、及び、前記映像コンテンツの一部の区間に関連付けられた付属コンテンツを含むデータを外部から受信する受信ステップと、
前記映像コンテンツ及び前記付属コンテンツを記録部に記録する記録ステップと、
前記受信ステップで受信した前記付属コンテンツを特定するための情報と、前記付属コンテンツが関連付けられている前記映像コンテンツの一部の区間を特定するための時間情報と、を関連付けた管理情報を記憶部に記憶させる管理ステップと、
前記管理ステップで管理された前記管理情報を用いて、前記付属コンテンツを特定するための情報、及び、前記付属コンテンツが関連付けられた前記映像コンテンツの一部の区間の映像を示す情報を、表示部に表示すると共に、前記付属コンテンツを選択可能な表示画面を生成する生成ステップと、
を有することを特徴とする受信方法。
【請求項７】
前記付属コンテンツは、前記映像コンテンツに対応づけられたデータ放送データであって、
前記受信ステップでは、前記映像コンテンツ及び前記データ放送データを放送信号から受信し、
前記データ放送データは１つ以上のモジュールで構成されており、
前記モジュール毎に付与された固有情報の変化を検出する検出ステップと、
前記映像データ及び前記データ放送データを記録中に、前記検出ステップで前記固有情報の変化を検出した場合、変化後のモジュールに対応する印刷コンテンツが存在するか否かを当該モジュールに含まれるファイルデータを用いて判定する判定ステップと、を更に有し、
前記判定ステップで、当該モジュールに対応する印刷コンテンツが存在すると判定された場合、前記管理ステップでは、前記印刷コンテンツを特定するための情報と、前記印刷
コンテンツを含むモジュールを特定するための情報と、前記モジュールが放送されていた時間帯に放送されていた前記映像コンテンツの一部の区間を特定するための時間情報とを関連付けた管理情報を記憶部に記憶させる
ことを特徴とする請求項６に記載の受信方法。
【請求項８】
前記付属コンテンツは、前記映像コンテンツに対応づけられたデータ放送データであって、
前記受信ステップでは、前記映像コンテンツ及び前記データ放送データを放送信号から受信し、
記録中のデータ放送データに対応し、前記データ放送データを用いたデータ放送画面の表示指示を実行するイベントメッセージによって、所定のデータ放送画面の表示指示が実行されたことを検出する検出ステップと、
前記検出ステップで表示指示を検出した後、表示を指示されたデータ放送画面を生成するためのファイルデータを用いて、前記データ放送データに対応する印刷コンテンツが存在するか否かを判定する判定ステップと、を更に有し、
前記判定ステップで、当該データ放送データに対応する印刷コンテンツが存在すると判定された場合、前記管理ステップでは、前記印刷コンテンツを特定するための情報と、前記印刷コンテンツを含むデータ放送データを特定するための情報と、前記イベントメッセージの表示指示が実行された時点からの前記映像コンテンツの一部の区間を特定するための時間情報とを関連付けた管理情報を記憶部に記憶させる
ことを特徴とする請求項６に記載の受信方法。
【請求項９】
前記生成ステップでは、前記表示画面において印刷コンテンツをユーザが選択したことに応じて、当該印刷コンテンツの印刷を実行するか、または、当該印刷コンテンツに関連付けられた前記映像コンテンツの一部の区間の映像の再生を実行するかを選択する選択画面を生成する
ことを特徴とする請求項７または８に記載の受信方法。
【請求項１０】
前記生成ステップで生成する表示画面は、前記映像コンテンツの一部の区間の映像を示す情報をユーザが指定することにより、当該映像コンテンツの一部の区間の映像の再生の指示入力を受け付けることが可能である
ことを特徴とする請求項７または８に記載の受信方法。
【手続補正２】
【補正対象書類名】明細書
【補正対象項目名】発明の名称
【補正方法】変更
【補正の内容】
【発明の名称】受信装置及び受信方法
【手続補正３】
【補正対象書類名】明細書
【補正対象項目名】０００１
【補正方法】変更
【補正の内容】
【０００１】
本発明は、受信装置及び受信方法に関する。
【手続補正４】
【補正対象書類名】明細書
【補正対象項目名】００１２
【補正方法】変更
【補正の内容】
【００１２】
上記目的を達成するために、本発明の第一の発明では以下の構成を採用する。すなわち、
映像コンテンツ、及び、前記映像コンテンツの一部の区間に関連付けられた付属コンテンツを含むデータを外部から受信する受信手段と、
前記映像コンテンツ及び前記付属コンテンツを記録部に記録する記録手段と、
前記受信手段が受信した前記付属コンテンツを特定するための情報と、前記付属コンテンツが関連付けられている前記映像コンテンツの一部の区間を特定するための時間情報と、を関連付けた管理情報を記憶部に記憶させる管理手段と、
前記管理手段により管理された前記管理情報を用いて、前記付属コンテンツを特定するための情報、及び、前記付属コンテンツが関連付けられた前記映像コンテンツの一部の区間の映像を示す情報を、表示部に表示すると共に、前記付属コンテンツを選択可能な表示画面を生成する生成手段と、
を有することを特徴とする受信装置である。
【手続補正５】
【補正対象書類名】明細書
【補正対象項目名】００１３
【補正方法】変更
【補正の内容】
【００１３】
また、本発明の第二の発明では以下の構成を採用する。すなわち、
映像コンテンツ、及び、前記映像コンテンツの一部の区間に関連付けられた付属コンテンツを含むデータを外部から受信する受信ステップと、
前記映像コンテンツ及び前記付属コンテンツを記録部に記録する記録ステップと、
前記受信ステップで受信した前記付属コンテンツを特定するための情報と、前記付属コンテンツが関連付けられている前記映像コンテンツの一部の区間を特定するための時間情報と、を関連付けた管理情報を記憶部に記憶させる管理ステップと、
前記管理ステップで管理された前記管理情報を用いて、前記付属コンテンツを特定するための情報、及び、前記付属コンテンツが関連付けられた前記映像コンテンツの一部の区間の映像を示す情報を、表示部に表示すると共に、前記付属コンテンツを選択可能な表示画面を生成する生成ステップと、
を有することを特徴とする受信方法である。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】